(57)【要約】【課題】リムを持たないで両レンズを連結部材の両側に連結すると共に、レンズ外側にはヨロイを取着して成る縁無しメガネであって、構成部品をロウ付けなしで簡単に製作でき、又組み立ても容易な縁なしメガネの提供。【解決手段】金属板を切削、打ち抜き、又は切断などの加工をして製作した連結部材２の両側には、ノコ歯を形成したピン８、嵌入片１１又は嵌入部、及び鼻当てパットを取付ける為のカギを先端に形成した脚１２を設けている。同じく金属板を切削、打ち抜き、又は切断などの加工をして製作したヨロイ３には、ノコ歯を形成したピン８及び嵌入片１１又は嵌入部を設けている。レンズの両側に貫通して設けた穴６には樹脂製のツバ付きスリーブ７を一方側から嵌合すると共に、ツバ付きスリーブの穴には他方側から連結部材２及びヨロイ３のピン８を嵌入すると共に、レンズ外周に形成した切欠き溝９に嵌入片１１を嵌めてレンズ１を連結・固定し、そしてヨロイ３にはツル４が折畳み出来るように取付けられる。【選択図】        図１
2005031418.tif 000002
【特許請求の範囲】
【請求項１】
リムを持たないで両レンズを連結部材の両側に連結すると共に、レンズ外側にはヨロイを取着して成る縁無しメガネにおいて、金属板を切削、打ち抜き、又は切断などの加工をして製作した連結部材の両側には、ノコ歯を形成したピン、嵌入片又は嵌入部、及び鼻当てパットを取付ける為のカギを先端に形成した脚を設け、同じく金属板を切削、打ち抜き、又は切断などの加工をして製作したヨロイには、ノコ歯を形成したピン及び嵌入片又は嵌入部を設け、レンズの両側に貫通して設けた穴には樹脂製のツバ付きスリーブを一方側から嵌合すると共に、ツバ付きスリーブの穴には他方側から連結部材及びヨロイのピンを嵌入すると共に、レンズ外周に形成した切欠き溝に嵌入片を嵌めてレンズを連結・固定し、そしてヨロイにはツルが折畳み出来るように取付けたことを特徴とする縁無しメガネ。
【請求項２】
リムを持たないで両レンズを連結部材の両側に連結すると共に、レンズ外側にはヨロイを取着して成る縁無しメガネにおいて、金属板を切削、打ち抜き、又は切断などの加工をして製作した連結部材の両側には、ノコ歯を形成したピン、嵌入片又は嵌入部、及び鼻当てパットを取付ける為のカギを先端に形成した脚を設け、同じく金属板を切削、打ち抜き、又は切断などの加工をして製作したヨロイには、ノコ歯を形成したピン及び嵌入片又は嵌入部を設け、レンズの両側に貫通して設けた穴には樹脂製のツバ付きスリーブを一方側から嵌合すると共に、ツバ付きスリーブの穴には他方側から連結部材及びヨロイのピンを嵌入すると共に、レンズ外周に形成した切欠き溝に嵌入片を嵌めてレンズを連結・固定し、そしてヨロイ先端にはリングを設けてリング穴には樹脂製の円盤軸を回転自在に嵌合し、該円盤軸の上下をツル端に形成した上下アームにて挟み込んでツルが折畳み出来るように取付けたことを特徴とする縁無しメガネ。
【請求項３】
上記嵌入片又は嵌入部の代わりに、レンズ外周面に当接するコ型の当り部を形成した請求項１、又は請求項２記載の縁無しメガネ。
【請求項４】
上記連結部材の連結部及びヨロイのヨロイ部を樹脂層にて被覆した請求項１、請求項２、又は請求項３記載の縁無しメガネ。
【請求項５】
リムを持たないで両レンズを連結部材の両側に連結すると共に、レンズ外側にはヨロイを取着して成る縁無しメガネの上記連結部材及びヨロイにおいて、該連結部材は金属板を切削、打ち抜き、又は切断などの加工をして製作し、両側にはノコ歯を形成したピン、嵌入片又は嵌入部、及び鼻当てパットを取付ける為のカギを先端に形成した脚を設け、ヨロイは金属板を切削、打ち抜き、又は切断などの加工をして製作し、ノコ歯を形成したピン及び嵌入片又は嵌入部を設けたことを特徴とする縁無しメガネの部品。
【請求項６】
上記連結部材の連結部及びヨロイのヨロイ部を樹脂層にて被覆した請求項５記載の縁無しメガネの部品。
【発明の詳細な説明】
【０００１】
【発明の属する技術分野】
本発明はリムを持たないでレンズを直接連結する縁無しメガネ、及びツルの継手構造に関するものである。
【０００２】
【従来の技術】
図２０は従来の一般的な縁無しメガネを示している具体例である。両レンズ（イ）、（イ）は連結部材（ロ）によってネジ止めされ、レンズ（イ）、（イ）の外側にはヨロイ（ハ）、（ハ）がネジ止めにて取着されている。そして、このヨロイ（ハ）には継手部を介してツル（ニ）が折畳み出来るように取付けされ、さらにレンズ（イ）の内側には上記連結部材（ロ）から延びる脚先端に鼻当てパット（ホ）が設けられている。
【０００３】
ところで、両レンズ（イ）、（イ）は連結部材（ロ）にてネジ止めされ、同じくヨロイ（ハ）はレンズ外側にネジ止めされているが、１本のネジでレンズ（イ）と連結固定する場合、ネジを中心として回転しない構造としなければならない。縁無しメガネではレンズの外周に当接する当り片（ヘ）を連結部材（ロ）並びにヨロイ（ハ）に設けることで、レンズの回転を阻止してガタ付かない構造が採用されている。
【０００４】
このように、両レンズ（イ）、（イ）を連結部材（ロ）の両サイドにネジ止めし、レンズ外側にヨロイ（ハ）、（ハ）をネジ止めしているが、該ネジ（ト）、（ト）・・に弛みが生じるならば、上記当り片（ヘ）がレンズ外周に正しく当接していてもガタ付を発生する。従来、メガネ用ネジとして弛み止め対策が施されたものも存在し、ネジ外周に樹脂をコーティングしたネジ、又外周にスリット溝を形成したネジが知られている。しかし、このようなネジであっても弛みを完全に防止することは不可能である。
【０００５】
一方、縁無しメガネを構成する連結部材（ロ）、ヨロイ（ハ）、ツル（ニ）は線材を冷間成形して製作されている。その為に、所定の金型が必要であり、小ロッドの部品を成形するには金型代が余りにも高く成ってしまう。そして、連結部材（ロ）にレンズをネジ止めし、レンズ外側にヨロイ（ハ）、（ハ）をネジ止めする作業は簡単でなく、組立てに要する工数も高くなる。また上記連結部材（ロ）及びヨロイ（ハ）は金型にて一体成形することは出来ず、レンズと直接ネジ止めされる止着片（チ）及び連結部材（ロ）から延びて鼻当てパット（ホ）を取付ける脚等は後工程としてロウ付けしなくてはならない。
【０００６】
さらに、ヨロイ（ハ）に折畳み出来るように取付けられるツル（ニ）の継手は、一般に蝶番が使用されているが、小さな蝶番を製作することは容易でなく、しかも該蝶番を用いてツルを連結する作業は大変である。そして、該蝶番を介して連結したツル（ニ）は摺動面が磨耗して直ぐにガタ付き、蝶番の軸ネジを時々締め直すことが必要となる。一方、上記連結部材（ロ）及びヨロイ（ハ）を製作するに際して、その一部をロウ付けすることで、高い寸法精度を得ることはできず、レンズに形成したネジ穴との間に寸法誤差が発生して組立て出来なかったり、ガタ付きの原因となる。
【０００７】
【発明が解決しようとする課題】
このように、従来の縁なしメガネには上記のごとき問題がある。本発明が解決しようとする課題はこれら問題点であり、各構成部品をロウ付けなしに簡単に製作することが出来ると共に組立て作業も容易で、ツルのガタ付きを防止した縁なしメガネを提供する。
【０００８】
【課題を解決する為の手段】
本発明に係る縁無しメガネの基本形態は従来通りであって、両レンズは連結部材の両側に直接固定されると共に、レンズ外側にはヨロイが取着されている。そして、上記ヨロイには継手を介してツルが折畳み出来るように取付けられている。ところで、本発明に係る縁無しメガネの構成部品となる連結部材、ヨロイ、及びツルは成形部品でなく、所定厚さの金属板を切断して製作される。切断方法は特に限定しないことにするが、打ち抜き加工、レーザー加工、ワイヤーカット加工等が一般的である。又、切削することも可能であり、これはコンピュータを利用して所定形状に正しく加工することが出来る。
【０００９】
そして、連結部材とレンズの連結手段、及びヨロイとレンズの連結手段として従来のようなネジを用いない。本発明では連結部材にピンを一体化して形成し、同じくヨロイにもピンを一体化して設けている。ピンは側面にノコ歯を有し、レンズ穴に嵌合した樹脂製のツバ付きスリーブの穴にピンを嵌入して固定する。ツバ付きスリーブには外径を大きくしてレンズ穴に嵌らないツバが設けられ、ツバの無い方向からピンを嵌入することで、該ピンはレンズの穴に固定される。
【００１０】
すなわち、樹脂製のツバ付きスリーブはその穴にピンが嵌入することでノコ歯は内面に食い込んで抜けなくなる。また、樹脂のスリーブの穴にピンを嵌入することで、外径が膨張してレンズ穴に固着する。ここで、板材から打ち抜き加工等で作られるピンは角形断面であって、円形断面のスリーブ穴には角が食い込むことで固定されると共に、大きな摩擦も無くて圧入もし易い。ただし、角型断面のスリーブ穴とすることは自由である。
【００１１】
そこで、連結部材の両側に設けているピンをレンズ穴に嵌めたツバ付きスリーブ穴に嵌入して連結し、同じくヨロイに形成したピンをレンズ穴に嵌めたツバ付きスリーブ穴に嵌入して取付けられる。又、ピンを中心としてレンズが回転しないようにレンズ外周に切込んだ溝に連結部材及びヨロイに設けた嵌入片又は嵌入部を嵌めることが出来る。連結部材及びヨロイに当り片を形成し、この当り片をレンズ外周に当接することで、レンズの回転を阻止することも可能である。この当り片は板材を曲げ形成して一体的に作られる。
【００１２】
一方、ツルはヨロイ先端に取付けられるが、ヨロイには円形リングが形成され、該リング穴には樹脂製の円盤軸が回転自在に嵌合している。ツル端には２本のアームが設けられ、該アームにはツメが対向して形成されている。そこで、両アームを広げて円盤軸を挟み込んで固定する。アームは樹脂製の円盤軸の上下面に食い込んでツルは該円盤軸に固定され、該ツルは円盤軸を中心として旋回して折畳み出来る。ただし、ツルの継手部構造に関しては、従来のような蝶番継手を採用することもあるが、ヨロイ側の蝶片はヨロイと一体化することも出来る。さらに、本発明では外観上の樹脂製の縁無しメガネを構成する。すなわち、金属板で構成した連結部材及びヨロイに樹脂層を被覆することで樹脂製の縁無しメガネとなる。以下、本発明に係る実施例を図面に基づいて詳細に説明する。
【００１３】
【実施例】
図１は本発明に係る縁なしメガネを示す全体外観図を示している。同図の１はレンズ、２は連結部材、３はヨロイ、４はツル、５は鼻当てパットを表し、連結部材２の両側にはレンズ１，１が連結し、レンズ外側にはヨロイ３，３が取着され、そしてヨロイ３，３にはツル４，４が折畳み出来るように取付けられている。又、連結部材２から延びる脚には鼻当てパット５，５が取着されている。
【００１４】
図２は連結部材２、ヨロイ３，３、及びレンズ１，１が分離している状態であるが、同図に示すようにレンズ１に設けている穴６に裏側からリブ付きスリーブ７を嵌めると共に、連結部材２及びヨロイ３に形成しているピン８をリブ付きスリーブ７の穴に嵌めることで互いに連結される。リブ付きスリーブ７は樹脂製であって、レンズ１に形成した穴６に嵌合し、反対側（正面側）から連結部材２及びヨロイ３に形成したピン８，８を圧入することで、共に抜けないようになる。ツバ付きスリーブ７の穴にピン８が圧入することで、外径は膨張してレンズ穴６に固着する。図３はレンズ１を単独で表しているように、両側には穴６，６が貫通し、外周には切欠き溝９，９が穴６，６と対を成して設けられている。ここで切欠き溝９と穴６とを互いに連結して形成することもある。
【００１５】
図４は連結部材２の製作工程を示しているように、該連結部材２は（ａ）に示すように金属板を所定形状に切断、切削、又は打ち抜かれ、山１０の両側にはピン８，８、嵌入片１１，１１、脚１２，１２が形成され、該脚１２，１２の先端にはカギ１３，１３を有している。そして、該形状に切断、切削、又は打ち抜かれた連結部材は（ｂ）に示すように両脚１２，１２を下方へ折り曲げ、山１０を滑らかに湾曲して上方へ突出させる。さらに、（ｃ）に示すように、脚先端のカギ１３，１３には鼻当てパット５，５が取付けられる。
【００１６】
鼻当てパット５はその背面に突出した取着部１４をカギ１３にワンタッチ方式で嵌め、該取着部１４に形成している溝にカギ１３が嵌入することで外れないようになる。このように、連結部材２に両脚１２，１２を一体化して形成することが出来、従来のようにロウ付けするものではなく、切断、切削又は打ち抜かれた脚１２，１２を所定の方向に曲げ加工するだけで完了する。
【００１７】
また、ピン８，８はその断面が四角形である為に角張っていて、スリーブ穴に圧入し易く、しかも穴内面に食い込むことが出来るノコ歯状とすることで抜け落ちないようになる。図５は両レンズ１，１を連結部材２によって連結する場合、及びレンズ１の外側にヨロイ３を取り付ける場合を示している。ここで、ヨロイ３も連結部材２の場合同じく、金属板を所定形状に切断、切削、又は打ち抜いて製作されるが、穴を貫通した樹脂製のツバ付きスリーブ７がレンズ１の裏側から該ツバ１５が裏面に当たるようにレンズ穴６に嵌合する。
【００１８】
この状態で、連結部材２のピン８をツバ付きスリーブ７の穴に嵌入する。ピン８は四角形断面であると共に両側にノコ歯状の歯形を有し、穴に嵌入することで内面に食い込んで抜けないようになる。そしてピン８がツバ付きスリーブ７の穴に嵌入すると同時に嵌入片１１はレンズ外周に形成している切欠き溝９に嵌ることになり、該レンズ１はピン８を中心として回転することが阻止される。すなわち、レンズ１は連結部材２にガタ付くことなく安定して取付けられる。
【００１９】
同じくヨロイ３の場合も、ピン８をツバ付きスリーブ７の穴に嵌入すると共に、嵌入片１１をレンズ外周の切欠き溝９に嵌めて取付けられる。従って、連結部材２の両側にレンズ１，１が取付けられ、レンズ１，１の外側にはヨロイ３，３が取着され、図１に示す縁無しメガネが出来上がる。
【００２０】
ヨロイ３にはツル４が折畳み出来るように取付けられるが、本発明では従来のような蝶番継手は異なる継手が使用される。前記図５に示しているように、ヨロイ先端にリング１６を形成し、該リング１６のリング穴に樹脂製円盤軸を回転自在に嵌合し、ツル４はこの樹脂製円盤軸１７に取付けられる。ここで、ツル４の取付け手段は限定しないことにするが、ツル端部に形成した２本のアームによって樹脂製円盤軸の上下面を挟み込むことで取り付けることが出来る。
【００２１】
図６はツル４の取付け方法の具体例を示している。
（ａ）は金属板を切断、切削、又は打ち抜き加工したツル４の端部（継手側）を示している。端部には上下２本のアーム１８，１８が延び、アーム１８，１８の内側には小さなツメ１９，１９・・が設けられている。
（ｂ）はヨロイ３のリング１６に嵌めた樹脂製円盤軸１７にツル４を取付ける場合であり、両アーム１８，１８は間にピン２０を挟んで拡げられる。
（ｃ）は円盤軸１７にツル４が取付けられた場合であり、該円盤軸１７の上下面をアーム１８，１８が挟み込むと同時に、内部に食い込むことで固定される。
（ｄ）はアーム１８，１８が円盤軸１７に食い込んだ場合の断面拡大図を示しているように、ツル４の上縁及び下縁は円盤軸１７の上面と下面とほぼ同一面となっている。
【００２２】
そして、樹脂製の円盤軸１７はリング１６の穴に嵌合した状態であるが、両アーム１８，１８が内部に食い込むことで外径が拡大してリング１６の内周との間に溝が形成され、その結果、円盤軸１７はリング１６から外れないようになる。勿論、円盤軸１７をリング１６に嵌合した状態で高温加熱すると共に圧縮することで外径を拡大して抜け落ちないようにすることも可能である。
【００２３】
図７は図６の別形態を示すツル継手構造を表している。樹脂製の円盤軸を２ピースで構成し、上円盤１７ａと下円盤１７ｂを有し、上円盤１７ａにはヨロイ３のリング穴に嵌る嵌合軸２９を形成している。そして、上円盤１７ａ及び下円盤１７ｂには一直線に配列した４個の小さな穴３０ａ，３０ｂ・・が貫通して設けられ、同図（ｂ）に示すようにリング穴に上円盤１７ａの嵌合軸２９を嵌めた状態で下円盤１７ｂを下側から当てがい、そしてツル４の両アーム１８，１８にて挟み込む。
【００２４】
アーム１８，１８には両側にノコ歯を形成してピン３１ａ，３１ｂ・・を有し、これらピン３１ａ，３１ｂ・・は上円盤１７ａ及び下円盤１７ｂの穴３０ａ，３０ｂ・・に嵌入する。そして、上円盤１７ａの穴３０ａ，３０ｃに嵌入したピン３１ａ，３１ｂは下円盤１７ｂの穴３０ａ，３０ｃまで達し、逆に下円盤１７ｂの穴３０ｂ，３０ｄに嵌入したピン３１ｃ，３１ｄは上円盤１７ａの穴３０ｂ，３０ｄまで届くことで、上円盤１７ａと下円盤１７ｂは互いに噛み合い、分離することはない。
【００２５】
上記ツル４のアーム１８，１８、及びアーム１８，１８に設けられるノコ歯を形成したピン３１ａ，３１ｂ・・は、前記図６のツル４の場合と同じように金属板を打ち抜き、又はワイヤーカットなどで所定形状に切断加工される。従って、ツル４は円盤軸１７を中心として旋回して折畳みすることが出来る。そして、リング１６にはストッパー２１が突出しているために、ツル４を開く際には該ストッパー２１に当たって所定の位置で停止する。
【００２６】
図８は連結部材２の別形態を示している。基本的形態は前記図４に示した連結部材２と同じであり、山１０の両側にノコ歯を形成した断面四角形のピン８、８を形成し、そして脚１２，１２を有している。勿論、脚１２，１２は２点鎖線で表わすように下方へ屈曲される。同図から明らかなように、該連結部材２には嵌入片を有しておらず、山１０の側端部が嵌入片（嵌入部）として機能し、レンズ外周部に形成した切欠き溝に嵌入することで、回り止め機能を果たすことが出来る。
【００２７】
そして、図９は連結部材２にレンズ１を連結し、レンズ外側にヨロイ３を連結した状態である。基本的な連結形態は前記図５の場合と同じであるが、レンズの切欠き溝９には連結部材２の山１０の端部が嵌り、同じくヨロイ３の端部が嵌って取付けられている。図１０に示すごとくレンズ１の両側には穴６，６が貫通して設けられ、切欠き溝９と連結していて穴６にはツバ付きスリーブ７を嵌入すると共に、スリーブ穴にはピン８を圧入される。（図３に示しているレンズ１の穴６と切欠き溝９は分離している。）
図１１には上記ヨロイ３を示し、該ヨロイ３のピン８はスリーブ穴に圧入し、ヨロイ端部は切欠き溝９に嵌入して取付けられ。該ヨロイ３は連結部材２と同じく、一定厚さの金属板を打ち抜き、切断し、又は切削などの加工が施されて製作される。
【００２８】
図１２はヨロイ３を示している別形態である。基本的な形態は同じであるが、レンズ１の外周に形成する切欠き溝９に嵌る嵌入片１１が違っている。該嵌入片１１は矢印方向へ移動できるようにバネ２２、２３を備えている為に、切欠き溝９に嵌る嵌入片１１は該切欠き溝底へバネ力を付勢し、その結果、ヨロイ３はガタ付くことなく安定して取付けられる。このバネ付き嵌入片は連結部材２の嵌入片１１，１１にも適用出来る。
【００２９】
図１３はヨロイ３の別形態であり、概略Ｓ字状に湾曲した形状とし、嵌入部２４を形成している。そして、レンズ１の正面側からツバ付きスリーブ７を穴６に嵌合し、ヨロイ３に形成しているピン８をレンズ裏側からツバ付きスリーブ７の穴に嵌合する。そしてレンズ外周の切欠き溝９には嵌入部２４が嵌って固定される。
【００３０】
図１４は連結部材２を表わす別形態であり、この連結部材２には当り部２５を形成している。前記図４に示す具体例の場合と同じく四角形断面で両面にノコ歯を有すピン８，８を備えているが、レンズ１との回り止め手段として当り部２５を設けている。該当り部２５はレンズ外周に当接するが、外周面と２点接触を行うことが出来るような形状と成っている。すなわち、同図（ｂ）は金属板を打抜き又は切断加工した段階での連結部材２の形状を示しているように、連結部２６の両側にはピン８，８、鼻当てパット取付け用の脚１２，１２、及び当り部２５，２５を設けている．そして、該脚１２，１２及び当り部２５，２５は同図（ａ）に示すように曲げ加工される。当り部２５はコ形に曲げられてレンズ外周面と２箇所において当接することが出来る。
【００３１】
図１５はヨロイ３の別形態であり、同図（ｂ）のように打抜き又は切断加工されたヨロイは（ａ）に示すようなヨロイ形状に曲げ加工される。このヨロイ３も上記連結部材２の場合と同様にコ型の当り部２５を有し、レンズ外周面と２点接触することにより、レンズの回り止め機能を備えることが出来る。そして、図１４、図１５に示した連結部材２及びヨロイ３を用いた縁無しメガネを示しているのが図１６であり、該レンズ１には切欠き溝９を形成していない。すなわち、切欠き溝９の代わりにコ型形状の当り部２５を設け、レンズ外周面に接することでレンズ１の回り止め機能を果たすことが出来る。
【００３２】
図１７は連結部材を示すさらに別の具体例である。基本形態は前記図８に示した連結部材と同じであるが、連結部２６の外表面に樹脂層２７を形成している。同じく図１８はヨロイ３のヨロイ部２８に樹脂層２７を形成した場合である。そして、これら図１７、図１８の連結部材２及びヨロイ３を用いた縁無しメガネを図１９に示している。この縁無しメガネのツル４は樹脂製となっていて、外観的には樹脂製の縁無しメガネとして構成することが出来る。すなわち、縁無しメガネにおいて連結部材２及びヨロイ３を樹脂製とすることは強度的に問題があるが、本発明では金属板を打抜き又は切断加工して製作した連結部材２及びヨロイ３の表面に樹脂層２７を形成することで、強度的にも満足のいく樹脂製の縁無しメガネを構成することが出来る。
【００３３】
以上述べたように、本発明の縁無しメガネでは、連結部材及びヨロイが金属板を切断、打ち抜き、又は切削などを経て所定形状に加工され、レンズ穴にはツバ付きスリーブを嵌めると共にツバ付きスリーブ穴には連結部材及びヨロイに形成したピンを嵌合してレンズを連結したものであり、次のような効果を得ることが出来る。
【００３４】
【発明の効果】
本発明に係る縁なしメガネは、従来のメガネに比較して製作工数は低く、その為に安く作ることが出来る。すなわち、金属板などを切削、打ち抜き、又は切断することで所定の形状の連結部材、ヨロイ、及びツルを製作することが出来、従来の金型を用いて冷間成形する場合に比較して簡単である。そして、コンピュータを使用して切削などすることで、多種小ロッドのメガネにも対応することが出来る。ロウ付け工程を要せず製作工数が小さくなると共に連結部材及びヨロイの寸法精度は高く、レンズとガタ付くことなく連結することが可能と成る。
【００３５】
又、組立作業も簡単である。すなわち、レンズ穴にはツバ付きスリーブを嵌めると共に、該ツバ付きスリーブ穴には連結部材及びヨロイに設けたピンを嵌入するだけで組立てすることが出来、ネジを必要としない。しかも、ピン側面にはコノ歯が形成されているために、一旦嵌入したピンは樹脂製のツバ付きスリーブ穴の内面に食い込んで抜けることはなく、レンズ外周の切欠き溝には連結部材及びヨロイの嵌入片又は嵌入部が嵌入することでガタ付くことなく連結・固定される。
【００３６】
一方、ツルはヨロイ先端に形成しているリング穴に嵌合した樹脂製円盤軸の上下面を両アームによって挟み込んで取付けられる。この継手構造も従来の蝶番継手構造に比較して簡単であり、しかも該ツルの取付け作業が容易である。さらに、リング穴に嵌って回転する樹脂製円盤は磨耗が抑えられて、ツルのガタ付きは発生しない。さらに、金属板を打抜き及び切断等で製作して連結部材の連結部及びヨロイのヨロイ部の表面に樹脂層を形成し、一方ツルを樹脂製とするならば、外観的に樹脂製の縁無しメガネを構成することが出来る。
【図面の簡単な説明】
【図１】本発明に係る縁無しメガネの平面図と正面図。
【図２】本発明の縁無しメガネの展開図。
【図３】本発明の縁無しメガネのレンズ。
【図４】連結部材の製作方法。
【図５】レンズと連結部材及びヨロイの連結方法。
【図６】ツルの取付け方法。
【図７】ツルの取付け方法。
【図８】連結部材の他の形態。
【図９】レンズと連結部材及びヨロイの他の連結形態。
【図１０】レンズの他の形態。
【図１１】ヨロイの他の形態。
【図１２】ヨロイの別形態。
【図１３】ヨロイの別形態。
【図１４】連結部材の別形態。
【図１５】ヨロイの別形態。
【図１６】本発明に係る縁なしメガネの別形態。
【図１７】連結部材の別形態。
【図１８】ヨロイの別形態。
【図１９】本発明に係る縁なしメガネの別形態。
【図２０】従来の縁無しメガネ。
【符号の説明】
１  レンズ
２  連結部材
３  ヨロイ
４  ツル
５  鼻当てパット
６  穴
７  リブ付きスリーブ
８  ピン
９  切欠き溝
１０  山
１１  嵌入片
１２  脚
１３  カギ
１４  取着部
１５  ツバ
１６  リング
１７  円盤軸
１８  アーム
１９  ツメ
２０  ピン
２１  ストッパー
２２  バネ
２３  バネ
２４  嵌入部
２５  当り部
２６  連結部
２７  樹脂層
２８  ヨロイ部
２９  嵌合軸
３０  穴
３１  ピン
【図１】
2005031418.tif 000003
【図２】
2005031418.tif 000004
【図３】
2005031418.tif 000005
【図４】
2005031418.tif 000006
【図５】
2005031418.tif 000007
【図６】
2005031418.tif 000008
【図７】
2005031418.tif 000009
【図８】
2005031418.tif 000010
【図９】
2005031418.tif 000011
【図１０】
2005031418.tif 000012
【図１１】
2005031418.tif 000013
【図１２】
2005031418.tif 000014
【図１３】
2005031418.tif 000015
【図１４】
2005031418.tif 000016
【図１５】
2005031418.tif 000017
【図１６】
2005031418.tif 000018
【図１７】
2005031418.tif 000019
【図１８】
2005031418.tif 000020
【図１９】
2005031418.tif 000021
【図２０】
2005031418.tif 000022